(57)【要約】【課題】  誤使用を防止すると共に、マッサージ性を低下させることなく、クッション性を向上させ、マッサージ機能とソファ機能を両立したマッサージ機を提供する。【解決手段】  マッサージ機１は、座面を備えた座部２と、マッサージ手段４を備えた背もたれ３と、を有する椅子型マッサージ機である。そして、背もたれ３に着脱自在に配置される背クッション５と、背クッション５の配置を検知する検知手段６と、検知された背クッション５の配置に合わせて前記マッサージ手段４の動作を制御する制御手段８と、背クッション５の配置に関して報知する報知手段と、を設けており、報知手段が背クッション５の配置が適切か否かの注意および検知手段６により検知された背クッション５の配置が適切でない場合に警告を行うものとした。【選択図】        図１
2010104443.tif 000002
【特許請求の範囲】
【請求項１】
座面を備えた座部と、マッサージ手段を備えた背もたれと、を有する椅子型マッサージ機であって、前記背もたれに着脱自在に配置された背クッションと、前記背クッションの配置を検知する検知手段と、検知された前記背クッションの配置に合わせて前記マッサージ手段のマッサージ動作を制御する制御手段と、前記背クッションの配置に関して報知する報知手段と、を設けており、前記報知手段が前記背クッションの配置が適切か否かの注意および前記検知手段により検知された配置が適切で無い場合に警告を報知するものであることを特徴とするマッサージ機。
【請求項２】
前記検知手段が前記マッサージ手段のマッサージ開始前に検知動作を行なうものであり、前記報知手段が前記検知手段の検知動作の前に前記注意を報知するものであることを特徴とする請求項１記載のマッサージ機。
【発明の詳細な説明】
【技術分野】
【０００１】
本発明は、マッサージ機、殊に椅子型マッサージ機に関するものである。
【背景技術】
【０００２】
従来から、椅子型マッサージ機として、例えば特許文献１に記載の発明のように、マッサージ機の座部に座った使用者の体型を検知して、その検知情報をマッサージ動作にフィードバックさせたものや、マッサージ機能に加え椅子型であるその形状からマッサージを行わない時にソファとして使用されるものもある。
【０００３】
そして、ソファとして使用されるものとして、例えば、特許文献２に記載の発明のように、マッサージ手段を背もたれに昇降自在で設け、マッサージを行わない時にはマッサージ手段を下方のスリットに収納して、施療子が使用者に接触することを防止しソファとしての座り心地を向上させたものもある。
【０００４】
しかしながら、ソファ機能とマッサージ機能を両立したマッサージ機は、マッサージ手段の施療子や揉み玉等が突出する背もたれの前面部分に対してマッサージ性が低下するため、クッションを設けることができず、ソファとしての十分なクッション性が得られないものであった。
【０００５】
また、背もたれに着脱自在のクッションを設け、ソファとして使用する際に、背もたれにクッションを配置して、マッサージ手段が突出する背もたれの前面部分をクッションで覆うことで、ソファとしてのクッション性を向上させたものもある。しかし、クッションを取り除くことを忘れてクッションで背もたれの前面部分を覆ったままマッサージを行う等の誤使用を生じ易いものであった。
【特許文献１】特開平０５−００３８９８号公報
【特許文献２】特開２００２−０８５５００号公報
【発明の開示】
【発明が解決しようとする課題】
【０００６】
そこで、本発明は、上記の問題に鑑みて発明したものであり、誤使用を防止すると共に、背もたれのマッサージ性を低下させることなく、クッション性を向上させ、マッサージ機能とソファ機能を両立したマッサージ機を提供することを課題とした。
【課題を解決するための手段】
【０００７】
上記課題を解決するために、本発明に係るマッサージ機１は、座面を備えた座部２と、マッサージ手段４を備えた背もたれ３と、を有する椅子型マッサージ機であって、前記背もたれ３に着脱自在に配置される背クッション５と、前記背クッション５の配置を検知する検知手段６と、検知された前記背クッション５の配置に合わせて前記マッサージ手段４の動作を制御する制御手段８と、前記背クッション５の配置に関して報知する報知手段と、を設けており、前記報知手段が前記背クッション５の配置が適切か否かの注意および前記検知手段６により検知された前記背クッション５の配置が適切でない場合に警告を報知するものとしたことを特徴とする。
【０００８】
このような構成をしたことで、前記背もたれ３に配置した前記背クッション５によりソファとしてのクッション性が得られ、マッサージを行う際に前記背クッション５を前記背もたれ３から取り除くことで、前記背クッション５による前記マッサージ手段４のマッサージ効果の低下を防止することができる。そして、前記マッサージ手段４の動作を前記制御手段８が前記検知手段６によって検知された前記背クッション５の配置に合わせて制御すると共に、検知された前記背クッション５の配置が適切で無い場合に前記報知手段が警告するため、誤使用の際に、前記マッサージ手段４の動作命令の解除あるいは前記背クッション５の配置変更等の所望する機能に適した状態への移行を使用者に促がすことができる。
【０００９】
また、前記検知手段６が前記マッサージ手段４のマッサージ開始前に検知動作を行なうものであり、前記報知手段が前記検知手段６の検知動作の前に前記注意を報知するものとすることで、マッサージ開始前の準備段階の初期から前記背クッション５の配置を適切な状態にすることを啓蒙でき、誤使用の発生がより抑制されると共に、マッサージを行う準備を円滑に行えるものとなり好ましい。
【発明の効果】
【００１０】
上記のように、制御手段と、報知手段により、マッサージ手段および背クッションの誤使用が防止されると共に、所望する機能に適した状態への移行が円滑に行われる。そのため、マッサージ手段が使用者に接触することを防止したクッション性の高いソファ機能と、背クッションを介してマッサージを行うことを防止したマッサージ性の高いマッサージ機能と、を両立した誤使用の恐れの無い快適なマッサージ機となる。
【発明を実施するための最良の形態】
【００１１】
以下、図面に基づいて本発明の実施形態について説明する。
【００１２】
本発明のマッサージ機１は、図１のように、椅子型マッサージ機であり、使用者が座る座面を備えた座部２と、使用者の背中に対するマッサージ手段４を備えた背もたれ３と、背もたれ３の前面、特にマッサージ手段４の前面を覆う形状で背もたれ３に配置された背クッション５と、背クッション５の配置を検知する検知手段６と、検知された背クッション５の配置に合わせてマッサージ手段４の制御を行う制御手段８と、マッサージ手段４の操作を行う入力手段である操作器１０と、操作器１０に設けた表示部１１や音声発生部１２等の報知手段と、使用者の背中がマッサージを行うのに適切な位置に有るか否かを検知する動作センサ１３と、からなるものである。
【００１３】
そして、背クッション５は背もたれ３に対して位置の変更が可能であり、図２に示すように、背クッション５の背もたれ３に当接する面（以下、裏面と記載）側の内部にマーカー７が設けてあり、検知手段６がマーカー７を検出することで、背クッション５の配置を検知するものである。詳しくは、背もたれ３に設けた検知手段６である変位センサが、マーカー７である金属部材との距離を測定し、測定値に比例した電圧を制御手段８に出力して、制御手段８に背クッション５の背もたれ３における配置状況を把握させる。
【００１４】
また、動作センサ１３は、例えば、圧力センサであり、背もたれ３に掛かる使用者からの圧力を検知して、検知された圧力が所定値以上であれば、使用者の背中が適切な位置にあると判定して、制御手段８に信号を出力するものである。
【００１５】
また、制御手段８の制御動作は、図３および図４に示すように、操作器１０によりマッサージ手段４を動作させる操作がなされると、制御手段８がマッサージ手段４の動作を準備する準備動作モードに入り、背クッション５の配置状況に関わらず、背クッション５を所定の位置から移動させるよう報知手段が注意を行い、背クッション５の所定の位置からの排除を啓蒙すると共に、所定の位置に背クッション５を配置した状態でのマッサージが誤使用であることを使用者に説明する。
【００１６】
そして、所定時間経過後、検知手段６が背クッション５の検知動作を行い、背クッション５の位置情報を検知して、準備動作モードが完了となる。なお、上記背クッション５における所定の位置とは、マッサージ手段４の動作に支障を生じる位置であり、詳しくは、背クッション５がマッサージ手段４の前面を覆う状態等のマッサージ手段４によるマッサージ効果が低下する位置である。
【００１７】
そして、制御手段８はマッサージ手段４の動作開始を許可するか否かを判断するため、検知された背クッション５の位置情報から背クッション５が所定の位置に有るか無いかの判定を行う。
【００１８】
制御手段８が所定の位置に背クッション５が有ると判定した場合、制御手段８はマッサージ手段４の動作開始を許可できないと判断し、マッサージ手段４を動作させることなく、図５に示すように、報知手段により背クッション５を所定の位置から移動させるよう操作器１０に設けた表示部１１の表示や音声発生部１２からの音声で警告を行い、背クッション５が所定の位置にありマッサージ手段４の動作を許可できないことを説明する。
【００１９】
上記報知手段の警告に従い背クッション５を所定の位置から取り除き、再度操作器１０によりマッサージ手段４を動作させる操作がなされると、所定の時間内であれば準備動作モードの他の処理を省き背クッション５の位置検知のみを行い、マッサージ手段４の動作開始の可不可の判定がなされる。
【００２０】
また、所定の位置に無いと判定された場合、制御手段８はマッサージ手段４の動作開始を許可すると判断して、動作センサ１３からの信号をチェックし、使用者の背中が適切な位置にあると判断すると、マッサージ手段４の動作を開始する。
【００２１】
したがって、背クッション５によりマッサージ効果が低下する状態でのマッサージ手段４の動作を防止すると共に、背クッション５の配置変更中等で使用者の背中が適切な位置に無い状態でのマッサージ手段４の動作を禁止したことで、誤使用の恐れが無くマッサージを行える適切なマッサージ機１となる。
【００２２】
なお、操作器１０による解除操作が行われるまで所定の時間毎に背クッション５の検知を数回繰り返し、その都度マッサージ手段４の動作開始の可不可を判定する所定の時間内であれば再操作を不要としたものや、再操作毎に準備動作モードを最初から全て行うものとしてもよい。
【００２３】
また、所定の位置から取り除いた背クッション５を配置できる収納部、例えば、背クッション用収納ラック等をマッサージ機１の背面や側面等のマッサージ手段４の動作に支障の無い位置に設ければ、所定の位置から取り除いた背クッション５が収納部に保管されることで、マッサージ機能の利用による背クッション５の紛失の恐れが無くなる。
【００２４】
そして、該収納部に背クッション５の検知手段６を設け、収納部側の検知手段６が背クッション５を検知すると、制御手段８がマッサージ手段４の動作開始を許可するものとしてもよい。
【００２５】
なお、背クッション５に背もたれ３への取付手段、例えば、磁石等を設け、検知手段６を該取付手段による取付を検知するものとしたり、操作器１０以外に報知手段を設けたりしてもよく、報知手段が動作センサ１３の検知情報も報知するものであってもよく、上記実施形態の例示のみに限定するのではなく、本願発明を実施可能とするものであれば、適宜変更可能である。
【図面の簡単な説明】
【００２６】
【図１】本発明のマッサージ機の斜視図である。
【図２】同上の背クッションの（ａ）裏面側の断面図、（ｂ）側面図、（ｃ）背もたれに配置した状態の構成図である。
【図３】同上の制御動作のブロック図である。
【図４】同上の制御動作のフローチャートである。
【図５】同上の操作器の概略図である。
【符号の説明】
【００２７】
１  マッサージ機
２  座部
３  背もたれ
４  マッサージ手段
５  背クッション
６  検知手段
７  マーカー
８  制御手段
１０  操作器
１１  表示部
１２  音声発生部
１３  動作センサ
【図１】
2010104443.tif 000003
【図２】
2010104443.tif 000004
【図３】
2010104443.tif 000005
【図４】
2010104443.tif 000006
【図５】
2010104443.tif 000007